(57)【要約】【課題】    本発明は、送信機（据え置き機器）と、受信機（携帯機器）間の赤外線通信の性能を改善し、利用者の利便性を向上させることを目的とする、ストリーム通信システムを提供する。【解決手段】    ストリーム通信システムは、まずストリーム送信装置３は、ストリーム再生装置４へのストリーム信号送信に先立って、各発光素子から所定順序で該発光素子の識別信号を送信する。これに対し、ストリーム再生装置４は、受光部での受信性能が最良となる識別信号を送信した１の発光素子を特定して、その発光素子からのストリーム信号送信を、ストリーム送信装置３に対して要求する。そしてストリーム再生装置４は、前記発光素子からのストリーム信号に基づいてストリームを再生する。【選択図】    図１
2006339789.tif 000002
【特許請求の範囲】
【請求項１】
出射方向がそれぞれ異なる複数の発光素子を備え、各発光素子から所定順序で同一のストリーム信号を送信する、送信装置と、
各発光素子から送信されたストリーム信号を受信する受光部を備え、受光部が受信した各発光素子からのストリーム信号のうち受信性能が最良であるストリーム信号に基づいてストリームを再生する再生装置と、で構成されるストリーム通信システム。
【請求項２】
出射方向がそれぞれ異なる複数の発光素子を備えた送信装置と、
各発光素子から送信された信号を受信する受光部と、送信装置への応答信号を送信する送信部と、を備えた再生装置とからなるストリーム通信システムであって、
送信装置は、再生装置へのストリーム信号送信に先立って、各発光素子から所定順序で該発光素子の識別信号を送信し、
再生装置は、受光部が受信した各発光素子からの識別信号のうち受信性能が最良である識別信号を送信した発光素子を選択して、選択した発光素子からのストリーム信号に基づいてストリームを再生する、ストリーム通信システム。
【請求項３】
再生装置は、送信装置からのストリーム信号を蓄積するメモリを有し、メモリの容量が所定値以上になったとき、送信装置に識別信号の送信を要求する、請求項２記載のストリーム通信システム。
【請求項４】
再生装置の受光部は、複数の受光素子を備え、各受光素子での受信信号を比較して受信性能が最良の受光素子を用いて送信装置からのストリーム信号を受信する、請求項１ないし３記載の何れかにストリーム通信システム。
【請求項５】
再生装置の送信部は、複数の発光素子からなり、前記の各発光素子は、受光部の各受光素子と対になるよう近接して設けられた、請求項４記載のストリーム通信システム。
【請求項６】
複数の発光素子を備えた送信装置と、
各発光素子から送信された信号を受信する受光部を備えた再生装置とからなるストリーム通信システムであって、
送信装置と再生装置間の距離に応じて、ストリーム信号送信を行う発光素子の数を変化させるストリーム通信システム。
【請求項７】
前記送信装置の各発光素子は、送信装置と再生装置間の距離に応じて出射方向が可変である、請求項６記載のストリーム通信システム。
【発明の詳細な説明】
【技術分野】
【０００１】
ストリーム信号を送信する送信装置と、送信装置からのストリーム信号を受信してストリーム再生を行う再生装置とで構成される、ストリーム通信システムに関する。
【背景技術】
【０００２】
ハードディスク録画装置のような映像ストリームの蓄積を目的とする据え置き機器と、映像ストリームをどこでも再生できる携帯機器が普及している。据え置き機器の映像ストリームを携帯機器に転送する手段としては、有線通信のほか無線通信があり、無線通信には、（１）無線ＬＡＮ、Ｂｌｕｅｔｏｏｔｈ（登録商標）といった電波を利用するもの、（２）赤外線通信を利用するもの（特許文献１）がある。
【特許文献１】特開平８−５６１９９号公報
【発明の開示】
【発明が解決しようとする課題】
【０００３】
据え置き機器からの映像ストリームの送信に電波を用いた場合、指向性が広いので、例えば家庭内を移動しながらでも携帯機器で映像ストリームを受信することができる等、使い勝手がよい。その反面、コストが高くつく。
【０００４】
一方、据え置き機器からの映像ストリームの送信に赤外線を用いた場合、コストは低く済むが、指向性が狭いので、携帯機器は据え置き機器に対して特定の方向に配置する必要があった。
【０００５】
そこで、本発明は、送信機（据え置き機器）と、受信機（携帯機器）間の赤外線通信の性能を改善し、利用者の利便性を向上させることを目的とする、ストリーム通信システムを提供するものである。  
【課題を解決するための手段】
【０００６】
本願発明は、ストリーム信号を送信する送信装置と、送信装置からのストリーム信号を受信してストリーム再生を行う再生装置とで構成される、ストリーム通信システムに関する。
【０００７】
送信装置とは、据え置き型の機器である。据え置き型の機器としては、例えば映像録画機（ＨＤＤレコーダなど）、放送受信機能／録画機能付充電器、或いは、電気通信回線により映像ストリームを取得可能な電子計算機（デスクトップコンピュータなど）である。再生装置とは、例えば携帯型の映像再生機器（モバイルビューワ）、赤外線通信機能と映像再生機能を有する携帯電話機である。
【０００８】
（第１の構成）
本願発明の第１構成のストリーム通信システムは、出射方向がそれぞれ異なる複数の発光素子を備え、各発光素子から所定順序で同一のストリーム信号を送信する送信装置と、各発光素子から送信されたストリーム信号を受信する受光部を備え、受光部で受信した各発光素子からのストリーム信号のうち受信性能が最良であるストリーム信号に基づいてストリームを再生する再生装置と、で構成される。
【０００９】
ここで、「受信性能が最良」とは、例えば、受信信号の振幅が最も大きい、受信信号のエラーレートが小さい、といったことを意味する。
【００１０】
この構成によれば、赤外線通信を用いた安価なシステムにおいても、再生装置を持ち運びしながら、送信装置からのストリーム信号を良好に受信して、映像ストリームを視聴することが可能となる。
【００１１】
（第２の構成）
第１の構成では、送信装置は、各発光素子から所定順序で同一のストリーム信号を送信するので、通信速度が遅く、高品質の映像ストリームの伝送には向かないという問題もある。
【００１２】
そこで、本願発明の第２構成のストリーム通信システムは、出射方向がそれぞれ異なる複数の発光素子を備えた送信装置と、各発光素子から送信された信号を受信する受光部と、送信装置への応答信号を送信する送信部と、を備えた再生装置とからなる。送信装置は、再生装置へのストリーム信号送信に先立って、各発光素子から所定順序で該発光素子の識別信号を送信し、再生装置は、受光部で受信した各発光素子からの識別信号のうち受信性能が最良である識別信号を送信した発光素子を選択して、選択した発光素子からのストリーム信号に基づいてストリームを再生する。
【００１３】
この構成によれば、再生装置を持ち運びしながらでも、送信装置からの高品質のストリーム信号を良好に受信して、高品質の映像ストリームを視聴することが可能となる。
【００１４】
好ましくは、前記の再生装置は、送信装置からのストリーム信号を蓄積するメモリを有し、メモリの容量が所定値以上になったとき、送信装置に識別信号の送信を要求する。ここで、所定値とは、絶対的な記憶容量で規定されるものであっても良いし、或いは、メモリの全記憶容量に対する割合で規定されるものであっても良い。
【００１５】
（第３の構成）
本願発明の第３構成のストリーム通信システムは、複数の発光素子を備えた送信装置と、各発光素子から送信された信号を受信する受光部を備えた再生装置とからなり、
送信装置と再生装置間の距離に応じて、ストリーム信号送信を行う発光素子の数を変化させる。例えば、距離が大きいときは再生装置の受信性能が最良となるような送信装置の発光素子を用いてストリーム信号の送信を行うようにし、距離が小さいときは、全ての送信装置の発光素子を用いてストリーム信号を並列に伝送するようにしても良い。
【００１６】
好ましくは、前記送信装置の各発光素子は、送信装置と再生装置間の距離に応じて出射方向が可変である。
【発明の効果】
【００１７】
本発明によれば、赤外線通信を用いた安価なストリーム通信システムにおいて、通信性能を改善し、利用者の利便性を向上させることができる。
【発明を実施するための最良の形態】
【００１８】
＜第１の実施形態＞
以下、図１ないし図６を参照して、本願発明のストリーム通信システムの第１実施形態を説明する。
【００１９】
（ストリーム通信システムの使用イメージ例）
図１は、ストリーム通信システムの使用イメージを示すものである。ストリーム通信システム１０は、ストリーム送信装置１、ストリーム再生装置２とで構成される。このストリーム通信システム１０は、家庭内、或いはオフィス内といった屋内で使用されるシステムである。
【００２０】
ストリーム送信装置１は、据え置き型の映像機器であり、本実施形態では、放送受信機能／録画機能付充電器（クレードル装置）であるとする。ストリーム再生装置２は、携帯型の映像再生機器であり、本実施形態では、携帯型映像端末（モバイルビューワ）であるとする。
【００２１】
また、ストリーム送信装置１と、ストリーム再生装置２の間では赤外線通信が可能である。ストリーム送信装置１はあらゆる方向にストリーム信号を送信することができるので、ストリーム再生装置２は、室内のどこにいてもストリーム信号を受信することができる。
【００２２】
（ストリーム送信装置１、ストリーム再生装置２の外観構成）
図２は、ストリーム送信装置１の外観図である。本実施形態のストリーム送信装置１は、放送された映像ストリームを受信して蓄積することができる録画機能付充電器である。このストリーム送信装置１は、ストリーム信号を送信する５つのＬＥＤ素子１１ａ〜ｅを備えている。ＬＥＤ素子１１ａ〜ｅは出射面の法線方向（主光線の方向）がそれぞれ異なっている。ＬＥＤ素子１１ａからは正面の方向に赤外線が出射される。ＬＥＤ素子１１ｂからは上方向に赤外線が出射される。ＬＥＤ素子１１ｃからは下方向に赤外線が出射される。ＬＥＤ素子１１ｄからは同図の左方向に赤外線が出射される。ＬＥＤ素子１１ｅからは同図の左方向に赤外線が出射される。
【００２３】
図３は、ストリーム再生装置２の外観図である。同図（ａ）は正面図であり、（ｂ）は裏面図である。本実施形態のストリーム再生装置２は、携帯型の映像再生機器（モバイルビューワ）である。このストリーム再生装置２は、再生される映像ストリームなどを表示する表示部２１、ストリーム送信装置１から送信される映像ストリームを受信する受信部２２を備えている。受信部２２は、赤外線を受光できるフォトディテクタで構成される。
【００２４】
（ストリーム送信装置１、ストリーム再生装置２のブロック構成）
図４は、ストリーム送信装置１のブロック図である。ストリーム送信装置１は、上述のＬＥＤ素子１１ａ〜ｅに加えて、アンテナ１２、チューナ１３、ＨＤＤ（ハードディスクドライブ）１４、送信ストリーム信号生成部１５、変調部１６ａ〜ｅを備えている。
【００２５】
アンテナ１２は、放送波を受信する。チューナ１３は、アンテナ１２が受信した放送波から選局を行い、復調を行う。ＨＤＤ１４は、チューナ１３で選局、復調された信号を蓄積／保存する。送信ストリーム信号生成部１５は、ＨＤＤ１４から読み出されたストリーム信号から、ＬＥＤ素子１１ａ〜ｅから送信するストリーム信号を生成する。送信ストリーム信号生成部１５の処理については後で詳しく説明する。変調部１６ａ〜ｅは、ストリーム信号をＬＥＤ素子１１ａ〜ｅから無線送信するための変調を行う。
【００２６】
図５は、ストリーム再生装置２のブロック図である。ストリーム再生装置２は、上述の表示部２１、受信部２２に加えて、復調部２３、受信レベル判定部２４、バッファメモリ２５、ストリーム選択部２６、デコーダ２７を備えている。同図中、実線は映像ストリーム信号の流れを示すものであり、破線は制御信号の流れを示すものである。
【００２７】
受信部２２は、ストリーム送信装置１から送信される映像ストリームを受信する。復調部２３は、受信部２２が受信した映像ストリーム信号を復調する。受信レベル判定部２４は、受信部２２が受信した映像ストリーム信号の信号振幅の大きさを判定する。バッファメモリ２５は、復調部２３で復調されたストリーム信号を一時保存する。ストリーム選択部２６は、受信レベル判定部２４での判定結果に基づいて、表示部２１で表示させる映像ストリーム信号を選択してデコーダへ出力する。このストリーム選択部２６の処理については、後で詳しく説明する。デコーダ２７は、映像ストリーム信号をデコードする。例えば、映像ストリーム信号がＭＰＥＧ符号化されたものであれば、デコーダ２７はＭＰＥＧデコーダである。そして、デコーダ２７でデコードされた映像ストリームが表示部２１に表示される。
【００２８】
図６は、ストリーム送信装置１と、ストリーム再生装置２との間のストリーム信号の伝送方式を説明する図である。ここでは、映像ストリーム信号を構成するパケットｓ１、ｓ２の伝送を例に説明する。
【００２９】
図６（ａ）は、ストリーム送信装置１のＨＤＤ１４から読み出された、映像ストリームである。図６（ｂ）を参照して、送信ストリーム信号生成部１５は、ＨＤＤ１４から読み出されたパケットｓ１と同じ内容のパケットを５つ複製する。そして、複製された５つのパケットは、ＬＥＤ１１ａ〜ｅより変調光として順次送信される。
【００３０】
図６（ｃ）は、ストリーム再生装置２の受信レベル判定部２４で測定される受信信号の振幅である。ＬＥＤ１１ｄからのパケットｓ１を受信したときの信号振幅が最も大きくなっている。即ち、ストリーム再生装置２は、ストリーム送信装置１の左側（図２において）に位置している。なお、受信部２２が受信したＬＥＤ１１ａ〜ｅからのパケットは、バッファメモリ２５に保存される。
【００３１】
図６（ｄ）は、ストリーム選択部２５により選択されたパケットｓ１を示すものである。ストリーム選択部２５は、受信レベル判定部２４で測定された信号振幅が最も大きかった、ＬＥＤ１１ｄから送信されたパケットｓ１を選択する。そして、選択されたパケットはデコーダ２７でデコードされて、映像信号として表示部２１に表示、再生される。
【００３２】
同様にして、パケットｓ１に続くパケットｓ２もＬＥＤ１１ａ〜ｅより変調光として順次送信される（図６（ｂ））。この例では、利用者がストリーム再生装置２を携帯してストリーム送信装置１の左側から右側（図２において）に移動したものとすると、図６（ｃ）を参照して、受信レベル判定部２４で測定される受信信号の振幅は、ＬＥＤ１１ｃからのパケットｓ２を受信したときのものが最も大きくなる。ストリーム選択部２５は、ＬＥＤ１１ｃから送信されたパケットｓ２を選択する。そして、このパケットにより映像の再生が行われる。
【００３３】
以上が、本願発明のストリーム通信システムの第１実施形態である。この実施形態では、ストリーム送信装置１に搭載した、出射方向の異なる複数のＬＥＤ素子を用いて同じ内容のパケットを順次送信し、ストリーム再生装置２は、最も受信感度のよいパケットを選択してストリームを再構築する。したがって、ストリーム再生装置２を持ち運びしながらでも、ストリーム送信装置１からの送信信号を受信して映像ストリームを視聴することが可能となる。
【００３４】
＜第２の実施形態＞
第１の実施形態では、複数のＬＥＤ素子を用いて同じ内容のパケットを順次送信するため、通信速度が遅く、高品質の映像ストリームの伝送には向かないという問題もある。本実施形態は、この問題を解決するためのものである。
【００３５】
以下、図７ないし図１１を参照して、本願発明のストリーム通信システムの第２実施形態を説明する。本実施形態のストリーム通信システムの使用イメージは第１実施形態と同じである。
【００３６】
（ストリーム送信装置３、ストリーム再生装置４の外観構成）
図７は、ストリーム送信装置３の外観図である。本実施形態のストリーム送信装置３もまた、放送された映像ストリームを受信して蓄積することができる録画機能付充電器である。このストリーム送信装置３は、ストリーム送信装置１と同様、ストリーム信号を送信する５つのＬＥＤ素子１１ａ〜ｅを備えている。一方、ストリーム送信装置１とは異なり、ストリーム再生装置４からの送信信号を受信する受光素子３２ａ〜ｅを備えている。ＬＥＤ素子１１ａと受光素子３２ａは隣接して設けられ、対をなしている。同様に、ＬＥＤ素子１１ｂと受光素子３２ｂ、ＬＥＤ素子１１ｃと受光素子３２ｃ、ＬＥＤ素子１１ｄと受光素子３２ｄ、ＬＥＤ素子１１ｅと受光素子３２ｅもまた対をなしている。
【００３７】
ストリーム送信装置１と同様、ＬＥＤ素子１１ａ〜ｅは出射面の法線方向（主光線の方向）がそれぞれ異なっている。また、受光素子３２ａ〜ｅの受光面も、それぞれ異なっており、受光面の法線方向は、対になるＬＥＤ素子の法線方向と一致、或いは略一致している。
【００３８】
図８は、ストリーム再生装置４の外観図である。同図（ａ）は正面図であり、（ｂ）は裏面図である。本実施形態のストリーム再生装置４もまた、携帯型の映像再生機器（モバイルビューワ）である。ストリーム再生装置４は、ストリーム再生装置２とは異なり受信部を５つ備えている（２２ａ〜ｅ）。また、ストリーム再生装置４は、ストリーム送信装置３へ応答信号を送信するためのＬＥＤ素子２８ａ〜ｅを備えている。
【００３９】
本実施形態のストリーム通信システムは、まず送信装置（ストリーム送信装置３）は、再生装置（ストリーム再生装置４）へのストリーム信号送信に先立って、各発光素子から所定順序で該発光素子の識別信号を送信する。これに対し、再生装置は、受光部での受信性能が最良となる識別信号を送信した１の発光素子からのストリーム信号に基づいてストリームを再生するものである。
【００４０】
（ストリーム送信装置３、ストリーム再生装置４のブロック構成）
図９は、ストリーム送信装置３のブロック図である。ストリーム送信装置３は、ＬＥＤ識別信号生成部３１、受信部３２、ストリーム送信開始決定部３３、ＬＥＤ選択部３４を有する点でストリーム送信装置１と相違し、送信ストリーム信号生成部１５を有さない点でストリーム送信装置１と相違する。
【００４１】
ＬＥＤ識別信号生成部３１は、ＬＥＤ素子１１ａ〜ｅの識別信号を生成する。受信部３２は、ストリーム再生装置４からの応答信号を受信する。図７を参照して説明したとおり、受信部３２は受光素子３２ａ〜ｅからなるが、受信部３２は、任意の受光素子を用いて応答信号を受信する。ストリーム送信開始決定部３３は、受信部３２が受信したストリーム再生装置４からの応答信号に基づいて、ＬＥＤ素子１１によるストリーム信号送信の開始を決定する。ＬＥＤ選択部３４は、ＬＥＤ素子１１ａ〜ｅのどのＬＥＤ素子からストリーム信号を送信するかを決定する。
【００４２】
図１０は、ストリーム再生装置４のブロック図である。図８を参照して説明したように、ストリーム再生装置４は、送信部２８を備える点、また受信部２２が複数の受光素子２２ａ〜ｅからなる点で、ストリーム再生装置２と相違し、ストリーム選択部２６を備えない点で、ストリーム再生装置２と相違する。送信部２８は、受信レベル判定部２４で判定された情報をストリーム送信装置３へ送信する。図８を参照して説明したとおり、送信部２８はＬＥＤ素子２８ａ〜ｅからなるが、送信部２８は、任意のＬＥＤ素子を用いて応答信号をストリーム送信装置３へ送信する。また、同図中、実線は映像ストリーム信号の流れを示すものであり、破線は制御信号の流れを示すものである。
【００４３】
図１１は、ストリーム送信装置３と、ストリーム再生装置４との間のストリーム信号の伝送方式を説明する図である。ここでは、映像ストリーム信号を構成するパケットｓ１の伝送を例に説明する。
【００４４】
図１１（ａ）は、ストリーム送信装置３のＨＤＤ１４から読み出された、映像ストリーム信号を構成するパケットｓ１である。図１１（ｂ）を参照して、パケットｓ１の送信に先立って、ＬＥＤ識別信号生成部３１は、ＬＥＤ識別信号Ｉａ〜Ｉｅを生成する。そして、これらの識別信号がＬＥＤ素子１１ａ〜ｅから順番に送信される。
【００４５】
図１１（ｃ）は、ストリーム再生装置４の受信レベル判定部２４で測定される受信信号の振幅である。ＬＥＤ１１ｄからのＬＥＤ識別信Ｉｄを受信したときの信号振幅が最も大きくなっている。そこで、ストリーム再生装置４は、ＬＥＤ素子１１ｄからのストリーム信号送信を要求する信号を、送信部２８から送信する。
【００４６】
ストリーム再生装置４からの要求信号が送信された後、図１１（ｂ）を参照して、ストリーム送信装置３は、ＬＥＤ１１ｄからパケットｓ１を送信する。そして、図１１（ｄ）を参照して、ストリーム再生装置４は、ＬＥＤ１１ｄから送信されたパケットｓ１をデコーダ２７でデコードして、映像信号として表示部２１に表示させる。
【００４７】
図１１（ｂ）を参照して、一定容量のパケット信号が送信されたら、再びＬＥＤ識別信号Ｉａ〜ＩｅがＬＥＤ素子１１ａ〜ｅから順番に送信される。そして、受光素子での受光レベルが高くなる送信元（ＬＥＤ素子）を特定し、特定されたＬＥＤ素子からストリームのパケットｓ２を受信する。例えば、このケースでは、ＬＥＤ識別信号Ｉｃの受光レベルが最も高いので、ストリーム再生装置４は、ＬＥＤ１１ｃからのストリーム信号送信を要求する。このようなストリーム信号の伝送方式の採用により、ストリーム再生装置４を移動しながら使用しても、ストリーム信号の受信を良好に行うことができる。
【００４８】
上記では、一定容量のパケット信号が送信後にＬＥＤ識別信号Ｉａ〜Ｉｅの再送信を行っているが、この際、ストリーム再生装置４は、バッファメモリ２５の容量をストリーム送信装置３に通知するようにしても良い。こうすることで、ストリーム送信装置３は、ストリーム再生装置４側の信号処理能力を超えるようなデータを送信してしまうことを防ぐことができる。
【００４９】
また、ＬＥＤ識別信号Ｉａ〜Ｉｅの再送信は、バッファメモリ２５のメモリ容量が所定値以上（満杯に近い状態）になったときに、ストリーム再生装置４側からＬＥＤ識別信号Ｉａ〜Ｉｅの再送信要求を出すようにしても良い。或いは、ストリーム信号を受信する受光素子の受光レベルが所定値以下になったときに、ＬＥＤ識別信号Ｉａ〜Ｉｅの再送信要求を出すようにしても良い。或いは、ストリーム信号を受信する受光素子の受光レベルが急激に変化した場合に、ＬＥＤ識別信号Ｉａ〜Ｉｅの再送信を要求を出すようにしても良い。
【００５０】
上記のように、本実施形態のストリーム通信システムは、再生装置と送信装置間の双方向通信を行うものであり、単方向通信の第１の実施形態よりもコストは高くなるが、第１の実施形態よりも高速なストリーム通信が可能である。
【００５１】
（並列伝送）
図１２、図１３に示すように、ストリーム送信装置３、ストリーム再生装置４は、各ＬＥＤ素子、各受光素子の方向を変化させることが可能であってもよい。例えば、ストリーム送信装置３、ストリーム再生装置４の距離が近い場合は、各ＬＥＤ素子、各受光素子の方向をメカニカルな方法により、全て同一の方向に向けるようにしても良い。そして、図１４に示すように、ストリーム送信装置３の各ＬＥＤ素子からは異なるストリーム信号のパケットを送信するようにしても良い（いわゆる並列伝送を行っても良い）。或いは、ストリーム送信装置３、ストリーム再生装置４の位置関係が一定時間以上変化していない場合も、並列伝送を行うようにしても良い。上記の距離、位置関係の特定、推定は、例えば各受光素子での受光レベルに基づいて行われる。或いは専用の距離センサを用いても良い。
【００５２】
或いは、モバイルビューワであるストリーム再生装置４が、クレードル装置（録画機能付充電器）であるストリーム送信装置３に載置された場合は並列伝送を行い、一のＬＥＤ素子と受光素子を用いて伝送するようにしても良い。
【００５３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００５４】
例えば、上記例のストリーム通信システムでは、ストリーム再生装置４の受信レベル判定部２４で測定される受信信号の振幅に基づいて、ストリーム送信装置３のどのＬＥＤ素子からストリーム送信信号を送付するかを決定していた。受信レベルの測定に代えて、所定のテストパターンを受信した信号のエラーレートに基づいて決定しても良い。
【００５５】
また、上記実施形態では、本願発明の送信装置はクレードル装置であるとして説明したが、送信装置は、例えば、映像録画機（ＨＤＤレコーダなど）、、或いは、電気通信回線により映像ストリームを取得可能な電子計算機（デスクトップコンピュータなど）、ホームサーバ、コンテンツ冷蔵庫、デジタル放送受信機、アナログ放送受信機などであっても良い。また、上記実施形態では、本願発明の再生装置は、モバイルビューワであるとして説明したが、例えば、映像再生機能を有する携帯電話機であっても良い。また、再生装置自体が録画機能、デジタル放送受信機能、アナログ放送受信機能などを有していても良い。
【符号の説明】
【００５６】
１  ストリーム送信装置
２  ストリーム再生装置
１０  ストリーム通信システム
１１（ａ〜ｅ）  ＬＥＤ素子
１４  ＨＤＤ（ハードディスクドライブ）
１５  送信ストリーム信号生成部
２１  表示部
２２  受光部、２２ａ〜ｅ  受光素子
２４  受信レベル判定部
２５  バッファメモリ
２６  ストリーム選択部
２８  送信部、２８ａ〜ｅ  ＬＥＤ素子
３１  ＬＥＤ識別信号生成部
３２  受信部、３２ａ〜ｅ  受光素子
３３  ストリーム送信開始決定部
３４  ＬＥＤ選択部
【図面の簡単な説明】
【００５７】
【図１】ストリーム通信システムの使用イメージを示すものである。
【図２】ストリーム送信装置１の外観図である。
【図３】ストリーム再生装置２の外観図である。
【図４】ストリーム送信装置１のブロック図である。
【図５】ストリーム再生装置２のブロック図である。
【図６】ストリーム送信装置１と、ストリーム再生装置２との間のストリーム信号の伝送方式を説明する図である。
【図７】ストリーム送信装置３の外観図である。
【図８】ストリーム再生装置４の外観図である。
【図９】ストリーム送信装置３のブロック図である。
【図１０】ストリーム再生装置４のブロック図である。
【図１１】ストリーム送信装置３と、ストリーム再生装置４との間のストリーム信号の伝送方式を説明する図である。
【図１２】ストリーム送信装置３の他の使用態様における外観図である。
【図１３】ストリーム再生装置４の他の使用態様における外観図である。
【図１４】ストリーム送信装置３と、ストリーム再生装置４との間のストリーム信号の伝送方式の他の例を説明する図である。
【図１】
2006339789.tif 000003
【図２】
2006339789.tif 000004
【図３】
2006339789.tif 000005
【図４】
2006339789.tif 000006
【図５】
2006339789.tif 000007
【図６】
2006339789.tif 000008
【図７】
2006339789.tif 000009
【図８】
2006339789.tif 000010
【図９】
2006339789.tif 000011
【図１０】
2006339789.tif 000012
【図１１】
2006339789.tif 000013
【図１２】
2006339789.tif 000014
【図１３】
2006339789.tif 000015
【図１４】
2006339789.tif 000016